(57)【要約】【課題】  通常はツバ付き帽子として使用する一方、マスクとして使用するときには、帽子のツバを引き下げるだけでフェイスを覆うことができるマスク兼用帽子を提供する。【解決手段】  ヘッドおよび少なくとも目を含んでフェイスを覆うことができる逆カップ形のクラウン部１１と、クラウン部１１の縁に取り付けられた少なくとも一つのツバ部１２とを備え、クラウン部１１をヘッドに装着する帽子態様またはクラウン部１１によりヘッドおよびフェイスを覆って装着するマスク態様を選択使用できるマスク兼用帽子１であって、クラウン部１１の逆カップ形の側部には、マスク態様での使用に際して視界を確保する目開口部２１が設けられたことを特徴とする。【選択図】      図１
2005281894.tif 000002
【特許請求の範囲】
【請求項１】
ヘッドおよび少なくとも目を含んでフェイスを覆うことができる逆カップ形のクラウン部と、前記クラウン部の縁に取り付けられた少なくとも一つのツバ部とを備え、前記クラウン部をヘッドに装着する帽子態様または前記クラウン部によりヘッドおよびフェイスを覆って装着するマスク態様を選択使用できるマスク兼用帽子であって、
前記クラウン部の逆カップ形の側部には、マスク態様での使用に際して視界を確保する目開口部が設けられたことを特徴とするマスク兼用帽子。
【請求項２】
前記目開口部が、前記クラウン部の、前記ツバ部が取り付けられた縁部に対応する位置に設けられていることを特徴とする請求項１に記載のマスク兼用帽子。
【請求項３】
前記クラウン部はマスク態様での使用に際してさらに鼻を含んでフェイスを覆う逆カップ形をなし、当該鼻に対応する部分は鼻開口部が形成されていることを特徴とする請求項２に記載のマスク兼用帽子。
【請求項４】
前記クラウン部はマスク態様での使用に際してさらに口を含んでフェイスを覆う逆カップ形をなし、当該口に対応する部分は口開口部が形成されていることを特徴とする請求項２または３に記載のマスク兼用帽子。
【請求項５】
前記クラウン部は帽子態様での使用に際して、前記クラウン部の膨出を防止する手段を備えたことを特徴とする請求項１から４の何れかに記載のマスク兼用帽子。
【請求項６】
前記ツバ部は前記クラウン部に対して着脱可能に構成されていることを特徴とする請求項１から５の何れかに記載のマスク兼用帽子。
【発明の詳細な説明】
【技術分野】
【０００１】
本発明は、防寒用マスク、防災用マスクとして使用できるマスク兼用帽子に関する。
【背景技術】
【０００２】
従来、ニットにより構成された防寒マスクが知られている。この種の防寒マスクには目開口部、口開口部、あるいは鼻開口部が設けられて構成されており、使用の際に、頭部に被せて使用される。
【０００３】
また、従来、不燃素材により構成された防災頭巾が知られている。この種の防災頭巾は、クッション効果を持つ材料により構成されることもあり、火災時等において頭部に被せて使用される。
上記の防寒マスクや防災頭巾のユーザは、不使用時には、バッグ等に収納しておき、防寒や防災の必要が生じたときに頭部に被せて使用する。
【発明の開示】
【発明が解決しようとする課題】
【０００４】
しかし、ユーザは、防寒マスクや防災頭巾を常に携帯しているとは限らず、「マスクの携帯し忘れ」により、必要となったときに当該マスクや防災頭巾が手元にはないといった事態が生じる。
【０００５】
本発明は、通常は帽子として使用する一方、マスクとして使用するときには簡単にフェイスを覆うことができるマスク兼用帽子を提供することを目的とする。
【課題を解決するための手段】
【０００６】
本発明のマスク兼用帽子は、ヘッドおよび少なくとも目を含んでフェイスを覆うことができる逆カップ形のクラウン部と、前記クラウン部の縁に取り付けられた少なくとも一つのツバ部とを備え、前記クラウン部をヘッドに装着する帽子態様または前記クラウン部によりヘッドおよびフェイスを覆って装着するマスク態様を選択使用できるものであって、前記クラウン部の逆カップ形の側部には、マスク態様での使用に際して視界を確保する目開口部が設けられたことを特徴とする。
【０００７】
本発明のマスク兼用帽子は、前記クラウン部の縁の一部にツバ部が取り付けられたもので、典型的にはいわゆるキャップであるが、キャスケットやハンチングも本発明のマスク兼用帽子に含まれる。
【０００８】
本発明のマスク兼用帽子では、前記クラウン部の、前記ツバ部が取り付けられた縁部に対応する位置に前記目開口部を設けることができる。この場合、ツバ部がマスク兼用帽子をマスク態様で装着するときには、ツバ部は目より下部に位置することになる。
【０００９】
本発明のマスク兼用帽子では、前記クラウン部はマスク態様での使用に際してさらに鼻を含んでフェイスを覆う逆カップ形に構成でき、当該鼻に対応する部分には鼻開口部を形成することができる。この場合には、ツバ部は鼻よりも下に配置されることが好ましい。
【００１０】
本発明のマスク兼用帽子では、前記クラウン部はマスク態様での使用に際してさらに口を含んでフェイスを覆う逆カップ形に構成でき、当該口に対応する部分は口開口部を形成することができる。この場合には、ツバ部は鼻よりも下に配置されることが好ましい。
【００１１】
本発明のマスク兼用帽子では、前記クラウン部は帽子態様での使用に際して、前記クラウン部の膨出を防止する手段を備えることができる。この手段として、、たとえばベルベットファスナを採用できる。
【００１２】
本発明のマスク兼用帽子では、前記ツバ部を前記クラウン部に対して着脱可能に構成することができる。マスク態様での使用に際して、ツバ部が装着性を低下させることもあり得るが、このような状況が危惧されるときにはツバ部を着脱自在に構成しておくことが好ましい。
【００１３】
本発明のマスク兼用帽子は防災の用途に適用することができる。クラウン部、ツバ部を不燃性の素材により構成することができ、さらにクラウン部をクッション効果を持つ材料により構成することができる。また、クラウン部の目開口部には、透明（半透明を含む）ガードを取り付けることができるし、鼻開口部や口開口部には防塵，防煙等のためのフィルタを着脱可能な状態で取り付けることができる。
【発明の効果】
【００１４】
本発明のマスク兼用帽子は、通常はツバ付き帽子として使用する一方、マスクとして使用するときには、帽子のツバを引き下げるだけでフェイスを覆うことができる。
【００１５】
特に、通常はツバ付き帽子として自然な態様で使用し、マスク態様での使用が生じたときに速やかにマスクとしてしようできるので、「マスクを携帯し忘れる」といった事態は生じない。
【００１６】
また、帽子態様での使用からマスク態様の使用への変更を簡単に、かつ速やかに行うことができる。
【発明を実施するための最良の形態】
【００１７】
図１（Ａ）〜（Ｃ）は本発明の一実施形態を示す正面図、側面図および背面図である。これら各図に示されるようにマスク兼用帽子１は、クラウン部１１と、ツバ部１２とから構成されている。
【００１８】
クラウン部１１は、フェイス１１１とバック部１１２とからる。フェイス１１１，バック部１１２は同一の素材により構成することもできるが、異なる素材により構成することもでき、たとえば、フェイス１１１を厚手材により構成することができ、バック部１１２をメッシュ材により構成することができる。もちろん、フェイス１１１，バック部１１２を、それぞれ複数の素材により構成することもできる。
【００１９】
フェイス１１１は逆カップ形をなし、側面には目開口部２１と鼻開口部２２とが設けられている。図１（Ａ），（Ｂ）に示すように、目開口部２１，鼻開口部２２は、クラウン部１１の、ツバ部１２が取り付けられた縁部に対応する位置に設けられている。
【００２０】
目開口部２１には、合成樹脂からなる透明ガードを取り付けることができる。この透明ガードは着脱自在とすることができ、たとえばツバ部１２に、取り外したガードの収納部を設けておくことができる。図１（Ａ），（Ｂ）では鼻開口部２２を設けたが、鼻開口部２２に代えて図２（Ａ）に示すような鼻膨出部２３を形成することができる。この膨出部の下部には通気部を設けることができる。
【００２１】
バック部１１２の後部下端にはサイズ調節用のアジャスタ部３１が設けられている。また、バック部１１２の後部には、図２（Ｂ）に示すように帽子態様での使用に際してクラウン部を所定形状に保形するためのホック４１，４２を設けることもできる。バック部１１を遮音するような素材により構成したときは、図２（Ｃ）に示すように、バック部１１の耳に相当する部分を通音素材により構成することができる。
【００２２】
ツバ部１２はフェイス１１１の下端に取り付けられている。このツバ部１２はフェイス１１１に着脱自在に取り付けることができる。取り付けには、ホック、面ファスナ等を用いることができる。図１（Ａ）〜（Ｃ）ではクラウン部１１にはツバ部が１つのみ取り付けられているが、ツバ部１２の反対側に他のツバ部を取り付けることもできる。この場合、アジャスタ部はクラウン部１１の側部の適宜個所に設けることができる。
【００２３】
図３（Ａ），（Ｂ）は、マスク兼用帽子１を帽子態様で装着した状態を示す正面図および側面図、図４（Ａ），（Ｂ）は、マスク兼用帽子１を帽子態様で装着した状態を示す図である。
【００２４】
上述したマスク兼用帽子１は防災頭巾仕様とすることができる。この場合、クラウン部１１はクッション性を有する不燃素材により構成し、目開口部２１に不燃性ガードを取り付けておくことが好ましい。また、鼻部分は、図２（Ａ）に示した鼻膨出部２３を形成し、鼻孔部分にたとえば着脱可能なフィルタ（呼吸機構）を取り付可能に構成しておくことが好ましい。さらに、クラウン部１１を、マスク態様で使用したときに、ツバ部１２が口より下に位置するような形状に構成することもできる。この場合、口部分には着脱可能なフィルタを設けることができる。また、ツバ部１２も不燃素材により構成する。なお、ツバ部１２に、取り外した予備フィルタ等の収納部を設けておくことができる。
【００２５】
また、上述したマスク兼用帽子１は溶接用マスク仕様とすることができる。この場合、クラウン部１１は不燃素材により構成し、目開口部２１に不燃性ガードを取り付けておくが、クラウン部１１はクッション性を有する必要はない。また、鼻部分は、図２（Ａ）に示した鼻膨出部２３を形成することができる。なお、ツバ部１２も不燃素材により構成する。このツバ部１２により、溶接に飛散する高熱の金属粉をガードすることができる。
【００２６】
また、上述したマスク兼用帽子１は防寒マスク仕様とすることができる。この場合、クラウン部１１は防水・断熱素材により構成し、目開口部２１に紫外線カットのガードを取り付けておくことができる。また、鼻部分は、図２（Ａ）に示した鼻膨出部２３を形成することができる。この場合、鼻孔部分を開口させておくことができる。
【００２７】
なお、上述したマスク兼用帽子１にはキャラクタ、人の顔をプリント等することができる。たとえば、クラウン部の正面に、動物のキャラクタをデザインすることもできるし、人の顔をデザインすることもできる。
【図面の簡単な説明】
【００２８】
【図１】（Ａ）〜（Ｃ）は本発明のマスク兼用帽子の一実施形態を示す正面図、側面図および背面図である。
【図２】（Ａ）は鼻開口部に代えて膨出部を形成したマスク兼用帽子を示す図、（Ｂ）は帽子態様での使用に際してクラウン部を所定形状に保形するためのホックを設けたマスク兼用帽子を示す図、（Ｃ）はバック部の耳に相当する部分を通音素材により構成したマスク兼用帽子を示す図である。
【図３】（Ａ），（Ｂ）は、マスク兼用帽子を帽子態様で装着した状態を示す正面図および側面図である。
【図４】（Ａ），（Ｂ）は、マスク兼用帽子を帽子態様で装着した状態を示す図である。
【符号の説明】
【００２９】
１  マスク兼用帽子
１１  クラウン部
１２  ツバ部
１１１  フェイス
１１２  バック部
２１  目開口部
２２  鼻開口部
２３  鼻膨出部
３１  アジャスタ部
４１，４２  ホック
【図１】
2005281894.tif 000003
【図２】
2005281894.tif 000004
【図３】
2005281894.tif 000005
【図４】
2005281894.tif 000006